(57)【要約】      （修正有）【課題】より確実に携帯端末装置の操作を制限することができる携帯端末装置を提供する。【解決手段】抑止解除ボタン２４ａが押下され、抑止解除の指示が入力されると、第１カメラ１２が動作し、被写体を撮像して第１画像データを生成する。このとき操作者が運転者でなければ、第１カメラ１２を運転者に向けて、運転者を撮像する。抑止解除判定部１１は、生成された第１画像データに被写体として運転者が含まれているかどうかを判断し、運転者が含まれていれば第２カメラ１３を動作させて、携帯端末装置を現在操作している操作者を撮像する。第２カメラ１３によって生成された第２画像データに人物が含まれていれば、操作者は運転者ではないとして抑止解除判定部１１は、携帯端末装置の抑止状態を解除し、動作が抑止されていた操作部および表示部を動作させる。【選択図】図２
2015133593.tif 000002
【特許請求の範囲】
【請求項１】
ユーザによって操作される携帯端末装置であって、
画像を表示する表示部と、
ユーザが操作する操作部と、
被写体を撮像して第１画像データを生成する第１撮像部と、
被写体を撮像して第２画像データを生成する第２撮像部と、
前記表示部および前記操作部の動作を抑止する抑止部と、
前記抑止部によって前記表示部および前記操作部の動作が抑止された状態を解除する抑止解除処理を実行する抑止解除部と、
前記抑止解除部に抑止解除処理の実行を開始させるための開始指示を入力する指示入力部と、を含み、
前記第１撮像部と前記第２撮像部とは、前記第１撮像部に対する光線の入射方向と前記第２撮像部に対する光線の入射方向とが、逆向きとなるように設けられ、
前記抑止部によって前記表示部および前記操作部の動作が抑止されているときに、前記指示入力部によって開始指示が入力されると、
前記第１撮像部によって第１画像データが生成され、前記抑止解除部が、予め定める基準に基づいて、前記第１撮像部によって生成された第１画像データに、前記携帯端末装置を操作することを抑止すべき人物が含まれているかどうかを判断し、
生成された第１画像データに、前記携帯端末装置を操作することを抑止すべき人物が含まれていると判断されれば、前記第２撮像部によって第２画像データが生成され、前記抑止解除部が、予め定める基準に基づいて、前記第２撮像部によって生成された第２画像データに人物を特定可能な情報が含まれているかどうかを判断し、
生成された第２画像データに人物を特定可能な情報が含まれていると判断されれば、前記抑止解除部が、前記表示部および前記操作部の動作が抑止された状態を解除することを特徴とする携帯端末装置。
【請求項２】
前記抑止解除部は、予め定める基準として、前記第１画像データに人物と車両のステアリングホイールとが含まれていれば、前記第１画像データに、前記携帯端末装置を操作することを抑止すべき人物として車両を運転する運転者が含まれていると判断することを特徴とする請求項１記載の携帯端末装置。
【請求項３】
前記表示部および前記操作部の動作が抑止された状態が解除されると、前記抑止解除処理で用いた第２画像データを記憶する記憶部と、
前記表示部および前記操作部の動作が抑止された状態が解除されたのちに、前記操作部がユーザによって操作されたときには、前記第２撮像部によって第２画像データが生成され、生成された第２画像データと前記記憶部に記憶された第２画像データとを比較して、前記記憶部に記憶された第２画像データに含まれている人物を特定可能な情報と同一の人物を特定可能な情報が、生成された第２画像データに含まれていなければ、前記抑止部に前記表示部および前記操作部の動作を抑止させる抑止確認部と、をさらに含むことを特徴とする請求項１または２記載の携帯端末装置。
【請求項４】
抑止状態判定デバイスにより出力される前記携帯端末装置の状態に応じて前記表示部および前記操作部の動作を抑止すべき状態であるかどうかを判定する抑止状態判定部をさらに含み、
前記抑止状態判定部の判定結果に応じて、前記抑止部は、前記表示部および前記操作部の動作を抑止するかどうかを判断し、前記抑止解除部は、抑止解除処理を実行するかどうかを判断することを特徴とする請求項１〜３のいずれか１つに記載の携帯端末装置。
【請求項５】
前記抑止状態判定部は、前記抑止状態判定デバイスに携帯端末装置の移動速度を出力させ、前記抑止状態判定部は、出力された移動速度が予め定める移動速度以下であれば、抑止解除処理を実行することなく前記表示部および前記操作部の動作が抑止された状態を解除し、検出された移動速度が予め定める移動速度を超えていれば、抑止解除処理を実行することを特徴とする請求項１〜４のいずれか１つに記載の携帯端末装置。
【発明の詳細な説明】
【技術分野】
【０００１】
本発明は、携帯端末装置に関する。
【背景技術】
【０００２】
スマートフォンなど無線通信機能およびタッチパネル機能などを備えた携帯端末装置は、その使い易さから広く普及し始めている。
【０００３】
このような携帯端末装置は、たとえば移動体通信網に無線接続することで、使用場所および使用時間に制限を受けずに、自由に無線通信を行うことができる。
【０００４】
無線通信によって、携帯端末装置で電子メールを送受信したり、インターネット上のサイトにアクセスして、ウェブページを閲覧したり、音楽データをダウンロードしたり、動画データをストリーミング再生したり、多種多様なコンテンツを利用することができる。
【０００５】
このように便利になる一方で、歩きながら携帯端末装置を操作することで、他人とぶつかったり、躓いて転倒したりする危険な使い方も増えている。特に、自動車の運転者が運転しながら携帯端末装置を操作すると、大きな交通事故の原因となるため、法令でも禁止されているが、全て取り締まることはできないので、運転中の運転者による携帯端末装置の操作を強制的に制限する技術が開発されている。
【０００６】
特許文献１記載のカメラ機能付き携帯端末装置は、自動車が移動中に使用されると、所定の機能を停止させたのちに、携帯端末装置により撮影された映像を解析して、使用者が運転者ではないと判別された場合には、停止させた機能を回復させる。
【０００７】
特許文献２記載の携帯電話端末装置は、移動速度が閾値を越えると、着信および送信を規制し、使用者が運転者ではなく同乗者であれば、着信応答、送信操作、通話モードの実行を可能にする。両手でしか同時に操作できない位置に設けられた２つのスイッチを両手で操作できれば、その操作者は運転者でなく同乗者であると判断する。
【０００８】
特許文献３記載の携帯機器は、車載機と無線接続され、操作されたときに操作者の顔画像を撮像し、車室内のカメラで予め撮像された運転者の顔画像を車載機から取得し、これらの顔画像を比較して一致すると、携帯機器の動作を制限する。
【先行技術文献】
【特許文献】
【０００９】
【特許文献１】特開２０１３−１７２３６０号公報
【特許文献２】特開２００４−１５７２８号公報
【特許文献３】特開２０１１−１７２１９５号公報
【発明の概要】
【発明が解決しようとする課題】
【００１０】
特許文献１記載の携帯端末装置では、使用者が運転者ではないと判別され、停止された機能が回復されたのちに、運転者が使用する可能性がある。特許文献２記載の携帯電話端末装置では、運転者でも両手で操作することは可能であり、携帯電話端末装置を操作するために、運転中に両手をステアリングホイールから離してしまうと交通事故を起こす可能性がより高くなってしまう。特許文献３記載の携帯機器は、運転者の顔を撮像して登録し、携帯機器と通信する車載機が必須であり、携帯機器のみで運転者による携帯端末装置の操作を制限することができない。
【００１１】
本発明の目的は、より確実に携帯端末装置の操作を制限することができる携帯端末装置を提供することである。
【課題を解決するための手段】
【００１２】
本発明は、ユーザによって操作される携帯端末装置であって、
画像を表示する表示部と、
ユーザが操作する操作部と、
被写体を撮像して第１画像データを生成する第１撮像部と、
被写体を撮像して第２画像データを生成する第２撮像部と、
前記表示部および前記操作部の動作を抑止する抑止部と、
前記抑止部によって前記表示部および前記操作部の動作が抑止された状態を解除する抑止解除処理を実行する抑止解除部と、
前記抑止解除部に抑止解除処理の実行を開始させるための開始指示を入力する指示入力部と、を含み、
前記第１撮像部と前記第２撮像部とは、前記第１撮像部に対する光線の入射方向と前記第２撮像部に対する光線の入射方向とが、逆向きとなるように設けられ、
前記抑止部によって前記表示部および前記操作部の動作が抑止されているときに、前記指示入力部によって開始指示が入力されると、
前記第１撮像部によって第１画像データが生成され、前記抑止解除部が、予め定める基準に基づいて、前記第１撮像部によって生成された第１画像データに、前記携帯端末装置を操作することを抑止すべき人物が含まれているかどうかを判断し、
生成された第１画像データに、前記携帯端末装置を操作することを抑止すべき人物が含まれていると判断されれば、前記第２撮像部によって第２画像データが生成され、前記抑止解除部が、予め定める基準に基づいて、前記第２撮像部によって生成された第２画像データに人物を特定可能な情報が含まれているかどうかを判断し、
生成された第２画像データに人物を特定可能な情報が含まれていると判断されれば、前記抑止解除部が、前記表示部および前記操作部の動作が抑止された状態を解除することを特徴とする携帯端末装置である。
【００１３】
また本発明は、前記抑止解除部は、予め定める基準として、前記第１画像データに人物と車両のステアリングホイールとが含まれていれば、前記第１画像データに、前記携帯端末装置を操作することを抑止すべき人物として車両を運転する運転者が含まれていると判断することを特徴とする。
【００１４】
また本発明は、前記表示部および前記操作部の動作が抑止された状態が解除されると、前記抑止解除処理で用いた第２画像データを記憶する記憶部と、
前記表示部および前記操作部の動作が抑止された状態が解除されたのちに、前記操作部がユーザによって操作されたときには、前記第２撮像部によって第２画像データが生成され、生成された第２画像データと前記記憶部に記憶された第２画像データとを比較して、前記記憶部に記憶された第２画像データに含まれている人物を特定可能な情報と同一の人物を特定可能な情報が、生成された第２画像データに含まれていなければ、前記抑止部に前記表示部および前記操作部の動作を抑止させる抑止確認部と、をさらに含むことを特徴とする。
【００１５】
また本発明は、抑止状態判定デバイスにより出力される前記携帯端末装置の状態に応じて前記表示部および前記操作部の動作を抑止すべき状態であるかどうかを判定する抑止状態判定部をさらに含み、
前記抑止状態判定部の判定結果に応じて、前記抑止部は、前記表示部および前記操作部の動作を抑止するかどうかを判断し、前記抑止解除部は、抑止解除処理を実行するかどうかを判断することを特徴とする。
【００１６】
また本発明は、前記抑止状態判定部は、前記抑止状態判定デバイスに携帯端末装置の移動速度を出力させ、前記抑止状態判定部は、出力された移動速度が予め定める移動速度以下であれば、抑止解除処理を実行することなく前記表示部および前記操作部の動作が抑止された状態を解除し、検出された移動速度が予め定める移動速度を超えていれば、抑止解除処理を実行することを特徴とする。
【発明の効果】
【００１７】
本発明によれば、抑止部が、表示部および操作部の動作を抑止し、抑止解除部が、前記抑止部によって前記表示部および前記操作部の動作が抑止された状態を解除する抑止解除処理を実行する。また、光線の入射方向が逆向きとなるように設けられた第１撮像部と第２撮像部とを備えている。
【００１８】
前記抑止部によって前記表示部および前記操作部の動作が抑止されているときに、指示入力部によって開始指示が入力されると、前記第１撮像部によって第１画像データが生成され、前記抑止解除部が、予め定める基準に基づいて、前記第１撮像部によって生成された第１画像データに、前記携帯端末装置を操作することを抑止すべき人物が含まれているかどうかを判断する。生成された第１画像データに、前記携帯端末装置を操作することを抑止すべき人物が含まれていると判断されれば、前記第２撮像部によって第２画像データが生成され、前記抑止解除部が、予め定める基準に基づいて、前記第２撮像部によって生成された第２画像データに人物を特定可能な情報が含まれているかどうかを判断する。
【００１９】
生成された第２画像データに人物を特定可能な情報が含まれていると判断されれば、前記抑止解除部が、前記表示部および前記操作部の動作が抑止された状態を解除する。
【００２０】
第１撮像部と第２撮像部とは、互いに逆向きとなるように設けられているので、同時に、または極めて短い時間間隔で連続して撮像した場合、第１撮像部で生成された第１画像データと第２撮像部で生成された第２画像データとの両方に同一人物が含まれることは有り得ない。したがって、第１画像データに前記携帯端末装置を操作することを抑止すべき人物が含まれており、第２画像データに人物を特定可能な情報が含まれていれば、第２画像データに含まれる情報によって特定される人物は、前記携帯端末装置を操作することを抑止すべき人物ではないと判断できる。第２画像データに含まれる人物は、携帯端末装置の操作者であるので、操作者が前記携帯端末装置を操作することを抑止すべき人物でないと判断できれば、表示部および操作部が動作するように抑止状態を解除することができる。これにより、より確実に前記携帯端末装置を操作することを抑止すべき人物による携帯端末装置の操作を制限することができる。
【００２１】
また本発明によれば、前記抑止解除部は、前記第１画像データに人物と車両のステアリングホイールとが含まれていれば、前記第１画像データに前記携帯端末装置を操作することを抑止すべき人物として車両を運転する運転者が含まれていると判断する。
【００２２】
また本発明によれば、前記表示部および前記操作部の動作が抑止された状態が解除されると、記憶部に、前記抑止解除処理で用いた第２画像データを記憶する。抑止確認部は、前記表示部および前記操作部の動作が抑止された状態が解除されたのちに、前記操作部がユーザによって操作されたときには、前記第２撮像部によって第２画像データが生成され、生成された第２画像データと前記記憶部に記憶された第２画像データとを比較して、前記記憶部に記憶された第２画像データに含まれている人物を特定可能な情報と同一の人物を特定可能な情報が、生成された第２画像データに含まれていなければ、前記抑止部に前記表示部および前記操作部の動作を抑止させる。
【００２３】
抑止解除処理で、前記携帯端末装置を操作することを抑止すべき人物としての運転者ではないと判断された操作者とは、異なる操作者が操作している場合には、その操作者が前記携帯端末装置を操作することを抑止すべき人物としての運転者ではないと判断できず、前記携帯端末装置を操作することを抑止すべき人物である運転者が操作している可能性があるので、再び表示部と操作部の動作を抑止する。これにより、抑止が解除されたあとに操作者が変わって前記携帯端末装置を操作することを抑止すべき人物である運転者が操作すると、表示部と操作部の動作が抑止されるので、さらに確実に前記携帯端末の操作を抑止すべき人物である運転者による携帯端末装置の操作を制限することができる。
【００２４】
また本発明によれば、抑止状態判定部が、抑止状態判定デバイスにより出力される携帯端末装置の状態に応じて表示部および操作部の動作を抑止すべき状態であるかどうかを判定する。前記抑止状態判定部の判定結果に応じて、前記抑止部は、前記表示部および前記操作部の動作を抑止するかどうかを判断し、前記抑止解除部は、抑止解除処理を実行するかどうかを判断する。携帯端末装置の状態によっては、必ずしも表示部および操作部の動作を抑止しなければならないとは限らないので、状態に応じて抑止するか、抑止解除するかを判断する。これにより、前記表示部および前記操作部の動作を、不必要に抑止したり、抑止解除したりすることを避けることができる。
【００２５】
また本発明によれば、前記抑止状態判定部は、前記抑止状態判定デバイスに前記携帯端末装置を操作することを抑止すべき状態であるかどうかを判定する条件である携帯端末装置の移動速度を出力させ、出力された移動速度が予め定める移動速度以下であれば、抑止解除処理を実行することなく前記表示部および前記操作部の動作が抑止された状態を解除し、出力された移動速度が予め定める移動速度を超えていれば、抑止解除処理を実行する。
【００２６】
これにより、抑止する必要がない場合は、抑止解除処理を実行することなく、速やかに抑止を解除することができる。
【図面の簡単な説明】
【００２７】
【図１】本発明の実施形態である携帯端末装置２０の装置構成を示すブロック図である。
【図２】携帯端末装置２０が備える端末操作抑止装置１の構成を機能的に表す機能ブロック図である。
【図３】携帯端末装置２０の外観図である。
【図４】抑止解除処理実行時にディスプレイ１４に表示される画像の一例である。
【図５Ａ】携帯端末装置２０による抑止解除処理を示すフローチャートである。
【図５Ｂ】抑止解除判定部１１による抑止解除判定処理を示すフローチャートである。
【図５Ｃ】操作者判定部１５による操作者判定処理を示すフローチャートである。
【図５Ｄ】携帯端末装置２０に抑止状態判定部を付加した場合の抑止解除処理を示すフローチャートである。
【発明を実施するための形態】
【００２８】
図１は、本発明の実施形態である携帯端末装置２０の装置構成を示すブロック図である。図２は、携帯端末装置２０が備える端末操作抑止装置１の構成を機能的に表す機能ブロック図である。
【００２９】
携帯端末装置２０は、たとえばスマートフォン、タブレットＰＣなどの携帯端末装置によって構成される。以下では、携帯端末装置２０がスマートフォンである場合を例にして説明する。
【００３０】
携帯端末装置２０は、主制御部２１、記憶部２２、一時記憶部２３、操作部２４、表示部２５、通信部２６、スピーカ部２７、振動部２８、ＧＰＳ受信部２９、マイク部３０、カメラ部３１を含んで構成される。
【００３１】
主制御部２１は、たとえばＣＰＵ（中央演算処理装置）によって構成され、記憶部２２に記憶される各種プログラムを実行することによって、操作部２４、表示部２５、通信部２６、スピーカ部２７、振動部２８、ＧＰＳ受信部２９、マイク部３０、カメラ部３１を制御する。
【００３２】
記憶部２２は、不揮発性の大容量の記憶装置、たとえばＳＳＤあるいはフラッシュメモリなどの半導体メモリ、またはＨＤＤなどによって構成される。記憶部２２は、主制御部２１によって実行されるプログラム、および主制御部２１がプログラムを実行するために必要な情報を記憶する。記憶部２２に記憶される情報は、主制御部２１によって書き込みおよび読み出しが行われる。
【００３３】
一時記憶部２３は、書き込み速度および読み出し速度が記憶部２２よりも高速で揮発性の記憶装置、たとえばＤＲＡＭなどの半導体メモリによって構成され、主制御部２１がプログラムを実行するために必要な情報を一時的に記憶するワークメモリである。一時記憶部２３に記憶される情報は、主制御部２１によって書き込みおよび読み出しが行われる。
【００３４】
操作部２４は、文字、数字および記号などの情報などを入力するための複数のキーによって構成される。操作部２４は、操作されたキーに対応付けられている情報を主制御部２１に送る。操作部２４は、メカニカルキーであってもよく、ソフトキーであってもよく、ソフトキーを実現するためのタッチパネルを備えることが好ましい。
【００３５】
表示部２５は、たとえば液晶ディスプレイなどの表示装置によって構成される。表示部２５は、主制御部２１が生成する画像データに基づいて画像を表示する。画像データの生成は、ＯＳ（Operating System）によるものや、アプリケーションによるものがあり、記憶部２２に記憶された画像データに基づき、表示部２５の仕様に応じて、表示部２５で表示可能な画像データが生成される。
【００３６】
通信部２６は、無線データ通信によって基地局の通信設備を介して移動体通信網などの通信回線網に接続され、ネットワークに接続される他の装置、たとえばコンテンツ配信サーバ装置、電子メールサーバ装置、ＳＮＳサーバ装置、掲示板サーバ装置などと各種情報の送受信を行う。また、通信部２６によって移動体通信網に接続し、他の電話装置との電話通信を行うことも可能である。
【００３７】
通信部２６は、通信回線網に接続して、主制御部２１から受け取る情報を主制御部２１から指示される他の装置に送信し、通信回線網を介して他の装置から受け取る情報を主制御部２１に送る。通信部２６は、たとえば、国際電気通信連合（ＩＴＵ）が定めるＩＭＴ−２０００（International Mobile Telecommunication 2000）規格に準拠したＷ−ＣＤＭＡ方式、ＰＨＳ（Personal Handy-phone System）方式などの通信方式を利用して通信を行う。
【００３８】
通信部２６は、さらに中距離、近距離無線通信も可能であり、たとえばＷｉ−Ｆｉ（登録商標）、Ｂｌｕｅｔｏｏｔｈ（登録商標）あるいはＺｉｇｂｅｅ（登録商標）などの無線通信によって中、近距離にある通信中継機器や電子機器と無線通信を行うこともできる。
【００３９】
スピーカ部２７は、たとえばスピーカを含む音声出力装置によって構成される。スピーカ部２７は、主制御部２１が生成する音声データに基づいて、音声を出力する。音声データは、楽曲データ、合成音データなどの各種音声データを取り扱うことが可能である。また、電話通信時には、相手側電話装置から受信した音声データに基づく音声を出力する。振動部２８は、たとえば振動子などの振動装置によって構成され、いわゆるバイブレーションによって音声とともにまたは音声の代わりにユーザに対して通知を行う。
【００４０】
ＧＰＳ受信部２９は、Global Positioning Systemのユーザ・セグメントに相当するＧＰＳ受信機で構成され、少なくとも緯度および経度の測位が可能であればよく、高度を含む３次元測位を行い、経緯度と高度とを取得することもできる。
【００４１】
マイク部３０は、たとえばマイクを含む音声入力装置によって構成される。マイク部３０は、入力された音声を電気信号として主制御部２１に出力し、主制御部２１が音声データに変換する。変換された音声データは、記憶部２２に記憶することで、ボイスレコーダ機能を実現することができる。また、電話通信時には、マイク部３０から入力された音声は、音声データとして相手側電話装置へと送信することが可能である。
【００４２】
カメラ部３１は、ＣＣＤカメラ、ＣＭＯＳカメラなど被写体を撮像して画像データを生成するデジタルカメラ装置によって構成される。カメラ部３１は、静止画データおよび動画データのいずれの画像データも生成することができる。
【００４３】
本実施形態の携帯端末装置２０は、端末操作抑止装置１を備えることにより、携帯端末装置２０を操作することを抑止すべき人物として、たとえば自動車を運転中の運転者が携帯端末装置２０を操作することを抑止することができる。
【００４４】
端末操作抑止装置１は、操作抑止部１０、抑止解除判定部１１、操作者判定部１５、抑止状態判定部１６、主制御部２１、記憶部２２、抑止解除ボタン２４ａ、表示部２５、カメラ部３１および抑止状態判定デバイス４０を含む。主制御部２１、記憶部２２、表示部２５、カメラ部３１は、前述の図１において説明した各部位と同じである。抑止解除ボタン２４ａは、操作部２４に含まれるボタンのうち、抑止解除の指示を入力する機能が割り当てられたボタンである。したがって、携帯端末装置２０の操作が抑止された状態にあっても、抑止解除ボタン２４ａの抑止解除の指示を入力する機能は、抑止されないようになっている。
【００４５】
表示部２５は、画像を表示する表示面を有するディスプレイ１４とディスプレイ１４に画像を表示させるディスプレイ制御部１４ａとを含む。カメラ部３１は、２つのカメラを有し、２つのカメラのうちの一方の第１カメラ１２は、被写体を撮像して第１画像データを生成し、第１カメラ制御部１２ａによって制御される。他方の第２カメラ１３は、被写体を撮像して第２画像データを生成し、第２カメラ制御部１３ａによって制御される。
【００４６】
操作抑止部１０は、携帯端末装置２０の操作を抑止する。具体的には、操作抑止部１０は、操作部２４および表示部２５が動作しないように抑止する。操作抑止部１０が操作を抑止している抑止状態では、ユーザが操作部２４を操作しても操作内容に応じた処理は実行されず、表示部２５は画像を表示しない。運転者が抑止状態の携帯端末装置２０を操作しようとしても、画像は表示されず何らの処理も実行されないので、抑止状態にある限り、運転者は、操作することを諦めるしかなく、運転者が運転中に携帯端末装置２０を操作することを防ぐことができる。
【００４７】
自動車には、運転者以外に同乗者がいるが、同乗者の携帯端末装置２０まで抑止状態となってしまうと携帯端末装置２０の使い勝手が悪くなってしまう。そこで、本発明では、端末操作抑止装置１の抑止解除判定部１１が、抑止解除処理を実行し、予め定める条件を満足する場合には、操作者が運転者ではないとして操作部２４および表示部２５の動作の抑止状態を解除し、携帯端末装置２０を操作できるようにする。
【００４８】
図３は、携帯端末装置２０の外観図である。図３（ａ）に示すように、一方主面側にディスプレイ１４、ディスプレイ１４に重ねて設けられる操作部２４のタッチパネル、抑止解除ボタン２４ａ、第２カメラ１３が配置され、図３（ｂ）に示すように、反対の他方主面側に第１カメラ１２が配置されている。第１カメラ１２と第２カメラ１３とは、それぞれに入射する光線の入射方向が逆向きになっている。通常の使用では、操作者は、携帯端末装置２０の一方主面側を自分のほうに向けて、ディスプレイ１４に表示された画像を見ながら、手指をタッチパネルに接触させて携帯端末装置２０を操作する。このとき第２カメラ１３は操作者側に向いているので、操作しながら第２カメラ１３を動作させると、撮像した画像データには、操作者が含まれることになる。また、操作者が携帯端末装置２０を操作している状態では、第１カメラ１２は、操作者とは反対側に向いているので、第１カメラ１２を動作させると、携帯端末装置２０を挟んで操作者の反対側の被写体を撮像することになる。第１カメラ１２と第２カメラ１３でそれぞれ同時に、または極めて短い時間間隔（数ｍ秒〜数十ｍ秒）で連続して撮像した場合、第１カメラ１２で生成された第１画像データと第２カメラ１３で生成された第２画像データとの両方に同一人物が含まれることは有り得ない。言い換えれば、両方の画像データに人物が含まれていれば、その人物は同一人物ではない。
【００４９】
このような配置の２つのカメラを利用することで、携帯端末装置２０の操作者が運転者でないことを判断することができ、判断結果に応じて操作の抑止状態を解除することができる。
【００５０】
抑止状態にある携帯端末装置２０の抑止状態を解除して携帯端末装置２０を操作したい場合、操作者は携帯端末装置２０の抑止解除ボタン２４ａを押下する。抑止解除ボタン２４ａは、操作部２４に含まれているが、上記のように抑止解除の指示を入力する機能だけは抑止せずに有効としている。
【００５１】
抑止解除ボタン２４ａが押下され、抑止解除の指示が入力されると、第１カメラ１２が動作し、被写体を撮像して第１画像データを生成する。このとき操作者が運転者でなければ、第１カメラ１２を運転者に向けて、運転者を撮像する。
【００５２】
抑止解除判定部１１は、生成された第１画像データに被写体として運転者が含まれているかどうかを判断し、運転者が含まれていれば第２カメラ１３を動作させて、現在携帯端末装置２０を操作している操作者を撮像する。第２カメラ１３によって生成された第２画像データに人物が含まれていれば、操作者は運転者ではないとして抑止解除判定部１１は、携帯端末装置２０の抑止状態を解除し、動作が抑止されていた操作部２４および表示部２５を動作させる。
【００５３】
図４は、抑止解除処理実行時にディスプレイ１４に表示される画像の一例である。ディスプレイ１４に向かって左側には、第１カメラ１２が撮像した運転者の画像５０が表示される。ディスプレイ１４に向かって右側には、第２カメラ１３が撮像した操作者の画像５１が表示される。このような場合には、操作者が運転者ではないと判定できるので、抑止状態が解除される。
【００５４】
第１カメラ１２が撮像した画像に人物が写っていないか、人物が写っていてもその人物が運転者ではなかったり、第２カメラ１３が撮像した画像に人物が写っていなければ操作者が運転者ではないと判定できないので、抑止解除判定部１１は、携帯端末装置２０の抑止状態を解除しない。
【００５５】
操作者判定部１５は、抑止状態が解除されたのち、携帯端末装置２０が操作されると、操作している操作者が、引き続き抑止状態が解除されたときの操作者と同じであるかどうかを判定し、同じ操作者であれば、抑止を解除した状態を継続して操作者が携帯端末装置２０を操作可能とする。操作者が異なっていれば、現在の操作者が運転者ではないかどうかが不明となるため、操作抑止部１０によって携帯端末装置２０の操作を抑止状態とする。
【００５６】
操作者を判定するために、抑止解除判定部１１は、抑止状態を解除すると判定したときの操作者が含まれている第２画像データを、判定後に記憶部２２に記憶しておく。操作者判定部１５は、抑止状態が解除されたのち、第２画像データが記憶部２２に記憶された状態で、携帯端末装置２０が操作されると、第２カメラ１３を動作させて撮像し、第２画像データに含まれる人物と、記憶部２２に記憶されている第２画像データに含まれる人物とを比較し、同一人物であれば、抑止解除の状態を継続し、同一人物でなければ、操作抑止部１０によって携帯端末装置２０の操作を抑止状態とする。
【００５７】
携帯端末装置２０の操作の抑止状態が解除されたのち、操作者の確認を行わなければ、抑止状態が解除されたときの操作者から携帯端末装置２０を運転者が受け取ると、運転者が運転中に携帯端末装置２０を操作することが可能となってしまう。上記のように、操作者判定部１５が、抑止状態が解除されたのちにまで、携帯端末装置２０を操作している操作者が運転者ではないことを確認すれば、運転者が携帯端末装置２０を操作する可能性を低減することができる。
【００５８】
図５Ａは、携帯端末装置２０による抑止解除処理を示すフローチャートである。本フローは、安全のために、車両内にある携帯端末装置２０を、運転者が運転中に操作できないように、少なくとも操作部２４および表示部２５が動作しない状態となるときに開始される。携帯端末装置２０に設けられた携帯端末装置２０の移動速度を検出することができるデバイスにより、自装置の移動速度が予め定める速度を超えると、少なくとも車両などによって移動しているものとして携帯端末装置２０の操作部２４および表示部２５の動作を抑止するものとしてもよいし、電源投入後やロック解除後などでは、初期状態として自装置の移動速度などにかかわらず操作部２４および表示部２５の動作を抑止するものとしてもよい。
【００５９】
操作抑止部１０は、ステップＡ１で携帯端末装置２０の操作が抑止される状態であることをユーザに報知するために、表示部２５に操作抑止中であることがわかるようにメッセージなどの表示を行う。
【００６０】
ステップＡ２では、操作抑止部１０が、少なくとも操作部２４および表示部２５に対して動作しない状態とする。ステップＡ３では、抑止解除判定部１１が、抑止解除判定処理を実行する。抑止解除判定処理の詳細については、後述する。
【００６１】
ステップＡ４では、抑止解除判定処理の処理結果に基づいて、抑止解除判定部１１が、抑止状態を解除するか否かを判断する。抑止解除判定処理の結果に基づいて、抑止状態を解除すると判断すると、ステップＡ５に進み、操作の抑止状態を解除する。抑止解除判定処理の処理結果に基づいて、抑止状態を解除しないと判断すると、ステップＡ３に戻り、抑止解除判定処理を再度行う。
【００６２】
ステップＡ６では、携帯端末装置２０の操作の抑止状態が解除されたことを操作者に報知するために、表示部２５に抑止解除されたことがわかるようにメッセージなどの表示を行う。
【００６３】
ステップＡ７では、携帯端末装置２０の操作の抑止状態が解除されたのちに、操作者判定部１５が、携帯端末装置２０を操作している操作者が、抑止状態を解除すると判定されたときの操作者であるかを判定する操作者判定処理を実行する。操作者判定処理の詳細については、後述する。
【００６４】
ステップＡ８では、操作者判定処理の処理結果に基づいて、操作可能な状態、すなわち操作が抑止されていない状態を継続するか否かを判断する。操作可能な状態を継続する場合は、ステップＡ７に戻り、携帯端末装置２０に対して操作が成されている間は、操作者判定処理を実行する。操作可能な状態を継続しない場合は、ステップＡ１に戻り、表示部２５に操作抑止中となることがわかるようにメッセージなどの表示を行い、ステップＡ２で、再び操作抑止部１０が、少なくとも操作部２４および表示部２５に対して動作しない抑止状態とする。
【００６５】
図５Ｂは、抑止解除判定部１１による抑止解除判定処理を示すフローチャートである。ステップＢ１では、抑止解除ボタン２４ａが押下されたか否かを判断し、押下されなければ処理を終了する。このとき、処理結果は、抑止状態を解除しない結果であり、図５ＡのステップＡ４では、携帯端末装置２０の抑止状態を解除しないと判断される。抑止解除ボタン２４ａが押下されると、ステップＢ２に進み、第１カメラ１２および第２カメラ１３を起動させる。ステップＢ３では、抑止解除ボタン２４ａが押下されたか否かを判断し、押下されなければ待機する。抑止解除ボタン２４ａが押下されると、ステップＢ４では、第１カメラ１２が被写体を撮像する。ステップＢ５では、第１カメラ１２によって生成された第１画像データに、操作を抑止すべき対象者、すなわち車両の運転者が含まれているか否かを判断する。第１画像データに運転者が含まれていなければ、ステップＢ１０に進んで、第１カメラ１２および第２カメラ１３を停止して、処理を終了する。このとき、処理結果は、抑止状態を解除しない結果であり、図５ＡのステップＡ４では、携帯端末装置２０の抑止状態を解除しないと判断される。第１画像データに運転者が含まれていれば、ステップＢ６に進んで第２カメラ１３が被写体を撮像する。
【００６６】
ここで、第１画像データにそもそも人物が含まれていなければ、第１画像データに運転者が含まれていないと判断され、第１画像データに人物が含まれていても、その人物が運転者でなければ、やはり第１画像データに運転者が含まれていないと判断される。なお、第１画像データに人物が含まれていた場合に、その人物が運転者であるかどうかは、人物とともにステアリングホイールが含まれているかどうかによって判断する。人物と一緒にステアリングホイールが含まれていれば、その人物は運転者であると判断する。
【００６７】
ステップＢ７では、第２カメラ１３によって生成された第２画像データに人物が含まれているかどうかを判断する。第１カメラ１２で撮像し、生成された第１画像データに運転者が含まれていた場合に、第２カメラ１３で撮像し、生成された第２画像データに人物が含まれていれば、その人物は運転者ではない。したがって、第２画像データに人物が含まれていれば、その人物は運転者でなく操作者であると判断できる。
【００６８】
第２画像データに人物が含まれていなければ、ステップＢ１０に進んで、第１カメラ１２および第２カメラ１３を停止して、処理を終了する。このとき、処理結果は、抑止状態を解除しない結果であり、図５ＡのステップＡ４では、携帯端末装置２０の抑止状態を解除しないと判断される。
【００６９】
第２画像データに人物が含まれていれば、ステップＢ８に進み、第２画像データを記憶部２２に保存する。ステップＢ９では、第１カメラ１２および第２カメラ１３を停止して、処理を終了する。このとき、処理結果は、抑止状態を解除する結果であり、図５ＡのステップＡ４では、携帯端末装置２０の抑止状態を解除すると判断される。
【００７０】
ステップＢ８で、記憶部２２に保存する第２画像データは、後述の操作者判定処理で用いる画像データであり、操作者判定処理では、抑止解除後に操作している操作者と、抑止を解除すると判定したときの操作者とが同一人物であるかどうかを判断するためのものである。したがって、第２カメラ１３によって生成された第２画像データを記憶しておく必要はなく、同一人物であるかどうかを判断することができるのであれば、第２画像データに含まれている人物を特定可能な情報たとえば、顔部分のみを抽出し、顔部分の画像データを記憶しておいてもよいし、人物の目の虹彩部分のみを抽出し、虹彩部分の画像データを記憶しておいてもよい。
【００７１】
図５Ｃは、操作者判定部１５による操作者判定処理を示すフローチャートである。本フローは、携帯端末装置２０の操作者が、操作部２４を操作したときに、その操作者を確認するために実行される。
【００７２】
ステップＣ１では、第２カメラ１３を起動させ、ステップＣ２で、第２カメラ１３に被写体を撮像させる。ステップＣ３では、予め記憶部２２に記憶されている第２画像データを読み出し、ステップＣ４で、読み出した第２画像データと、ステップＣ２で撮像させたことで生成した第２画像データとを比較し、記憶部２２に記憶された第２画像データに含まれている人物を特定可能な情報と同一の人物を特定可能な情報が、生成された第２画像データに含まれているかどうかを判断する。同一の人物を特定可能な情報が含まれていなければ、処理結果を継続しないものとして処理を終了する。図５ＡのステップＡ８では、携帯端末装置２０が操作可能な状態を継続しないと判断され、再び動作が抑止される。同一の人物が含まれていなければ、処理結果を継続するものとして処理を終了する。図５ＡのステップＡ８では、携帯端末装置２０が操作可能な状態を継続すると判断され、次に操作部２４が操作されるまで待機する。
【００７３】
生成された第２画像データに人物が含まれていて、その人物が、記憶部２２に記憶された第２画像データに含まれている人物と同一でなければ、操作者が変わったものと考えられ、変わった操作者が運転者ではないと判断できないので、運転者が操作している可能性を考慮して、再び携帯端末装置２０の操作を抑止する。また、生成された第２画像データに人物が含まれていない場合にも、現在の操作者が運転者ではないと判断できないので、運転者が操作している可能性を考慮して、再び携帯端末装置２０の操作を抑止する。
【００７４】
次に他の実施形態として、抑止状態判定デバイス４０の出力に応じた、携帯端末装置２０の操作抑止の必要性判断を行う。図５Ｄは、携帯端末装置２０に抑止状態判定部を付加した場合の抑止解除処理を示すフローチャートである。本実施形態は、上記図５Ａで示した抑止解除処理に、操作を抑止すべきかどうかの必要性判断を加えたものである。必要性の判断は、抑止状態判定部１６が、抑止状態判定デバイス４０の出力に基づいて行う。抑止状態判定デバイス４０は、たとえば、自装置の移動速度を検出する速度検出センサなどで実現される。
【００７５】
本フローが開始されると、まずはステップＤ１で、抑止状態判定部１６が、携帯端末装置２０の操作の抑止が必要かどうかを判断する。たとえば、移動速度が予め定める速度を超えていれば、走行中の車両などに乗車しているユーザが携帯端末装置２０を所持しているものとして、安全のために抑止が必要であると判断する。予め定める速度以下であれば、歩行中のユーザが携帯端末装置２０を所持しているものとして、特に抑止が必要ではないと判断する。
【００７６】
ステップＤ１で操作の抑止が必要ではないと判断されれば、処理を終了し、操作の抑止が必要であると判断されれば、ステップＤ２に進む。操作抑止部１０は、ステップＤ２で表示部２５に操作抑止中となることがわかるようにメッセージなどの表示を行う。
【００７７】
ステップＤ３では、操作抑止部１０が、少なくとも操作部２４および表示部２５に対して動作しない状態とする。ステップＤ４では、抑止状態判定部１６が、携帯端末装置２０の操作の抑止が必要かどうかを判断する。ステップＤ４での判断基準は、ステップＤ１と同じである。
【００７８】
ステップＤ４で操作の抑止が必要ではないと判断されれば、ステップＤ１２に進み、操作の抑止状態を解除し、ステップＤ１３で、表示部２５に抑止解除されたことがわかるようにメッセージなどの表示を行って処理を終了する。操作の抑止が必要であると判断されれば、ステップＤ５に進み、抑止解除判定部１１が、抑止解除判定処理を実行する。
【００７９】
ステップＤ６では、抑止解除判定処理の処理結果に基づいて、抑止解除判定部１１が、抑止状態を解除するか否かを判断する。抑止解除判定処理の結果に基づいて、抑止状態を解除すると判断すると、ステップＤ７に進み、操作の抑止状態を解除する。抑止解除判定処理の処理結果に基づいて、抑止状態を解除しないと判断すると、ステップＤ４に戻り、抑止の必要性を判断する。ステップＤ８では、表示部２５に抑止解除されたことがわかるようにメッセージなどの表示を行う。
【００８０】
ステップＤ９では、抑止状態判定部１６が、携帯端末装置２０の操作の抑止が必要かどうかを判断する。ステップＤ９での判断基準は、ステップＤ１、Ｄ４と同じである。ステップＤ９で操作の抑止が必要ではないと判断されれば、ステップＤ１４に進み、記憶部２２に記憶されている、抑止を解除すると判断されたときの操作者が含まれる第２画像データを消去して処理を終了する。操作の抑止が必要であると判断されれば、ステップＤ１０に進み、操作者判定部１５が、操作者判定処理を実行する。
【００８１】
ステップＤ１１では、操作者判定処理の処理結果に基づいて、操作可能な状態を継続するか否かを判断する。操作可能な状態を継続する場合は、ステップＤ９に戻り、操作抑止の必要性を判断する。操作可能な状態を継続しない場合は、ステップＤ１に戻り、操作抑止の必要性を判断する。
【００８２】
上記では、携帯端末装置２０を操作することを抑止すべき人物として、自動車の運転者を例として説明したが、これに限らず、ペアレンタルコントロールとして子供が携帯端末装置２０を親に無断で操作することのないように、操作することを抑止すべき人物を子供などとすることもできる。操作を抑止すべき子供の画像を撮像して予め登録しておき、抑止解除判定部１１が、画像に登録されている子供が、抑止すべき人物として第１画像データに含まれているかどうかを判断することとしてもよい。
【符号の説明】
【００８３】
１      端末操作抑止装置
１０    操作抑止部
１１    抑止解除判定部
１２    第１カメラ
１２ａ  第１カメラ制御部
１３    第２カメラ
１３ａ  第２カメラ制御部
１４    ディスプレイ
１４ａ  ディスプレイ制御部
１５    操作者判定部
１６    抑止状態判定部
２０    携帯端末装置
２１    主制御部
２２    記憶部
２３    一時記憶部
２４    操作部
２４ａ  抑止解除ボタン
２５    表示部
２６    通信部
２７    スピーカ部
２８    振動部
２９    ＧＰＳ受信部
３０    マイク部
３１    カメラ部
４０    抑止状態判定デバイス
【図１】
2015133593.tif 000003
【図２】
2015133593.tif 000004
【図３】
2015133593.tif 000005
【図４】
2015133593.tif 000006
【図５Ａ】
2015133593.tif 000007
【図５Ｂ】
2015133593.tif 000008
【図５Ｃ】
2015133593.tif 000009
【図５Ｄ】
2015133593.tif 000010